【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
挿入器具であって、第１のアンカと第２のアンカとをそれぞれの第１の目標位置と第２の目標位置とに排出するよう構成されており、前記第１のアンカ及び前記第２のアンカは、実質的にそれぞれの延在方向に沿って延びたそれぞれの第１のアンカ本体と第２のアンカ本体とを有し、前記第１のアンカ本体と前記第２のアンカ本体とのそれぞれはさらに、それぞれの作動部材を有し、前記挿入器具は、
ケーシング（３０８）と、
該ケーシング（３０８）に対して固定されたカニューレ（３１８）であって、該カニューレ（３１８）は、前記ケーシング（３０８）に対して遠位方向にカニューレ軸線に沿って前記カニューレ（３１８）の遠位端部まで延びており、前記カニューレ（３１８）は、前記カニューレ軸線に沿って延びる細長い開口（３１２）を形成している、カニューレ（３１８）と、
該カニューレ（３１８）の前記細長い開口（３１２）と整合させられた第１のプッシャ部材（３３０）と、
前記カニューレ軸線に沿って前記カニューレ（３１８）内で可動であるように前記カニューレ（３１８）の前記細長い開口（３１２）と整合させられた第２のプッシャ部材（３３４）であって、１）該第２のプッシャ部材（３３４）が前記第１のアンカ本体を収容しており、２）前記延在した開口が前記第２のアンカ本体を収容しており、３）前記第１のプッシャ部材（３３０）は、前記第１のアンカ本体及び前記第２のアンカ本体のうちの少なくとも一方を前記カニューレからそれぞれの前記目標位置へ排出するために前記細長い開口に押し込まれるよう構成されており、これにより、実質的に前記それぞれの延在方向に沿った方向に沿ってそれぞれの作動部材に引張力が加えられた時に、それぞれの第１及び第２のアンカ本体は、前記それぞれの延在方向に対して垂直なそれぞれの第２の方向に沿って拡張する、第２のプッシャ部材（３３４）と、を備えることを特徴とする、挿入器具。
【請求項２】
前記第１のプッシャ部材（３３０）は、初期に、第１のプッシャ部材（３３０）と第２のプッシャ部材（３３４）とが第１のストロークの間、直列で遠位に並進するように、前記第２のプッシャ部材（３３４）に結合されている、請求項１記載の挿入器具。
【請求項３】
前記第１のストロークにより、前記第２のプッシャ部材（３３４）は前記第２のアンカ本体を前記カニューレ（３１８）から排出させ、前記第１のプッシャ部材（３３０）の第２のストロークは、前記第１のアンカ本体を前記カニューレから排出させる、請求項２記載の挿入器具。
【請求項４】
前記ケーシング（３０８）と前記第２のプッシャ部材（３３４）との相対移動を案内するために前記ケーシング（３０８）と前記第２のプッシャ部材（３３４）との間に作用的に結合された相補的な第１のガイド部材（３３８）及び第２のガイド部材（３４０）をさらに備える、請求項１記載の挿入器具。
【請求項５】
さらに、前記第２のプッシャ部材（３３４）に並進可能に固定された取付け部材を備える、請求項１記載の挿入器具。
【請求項６】
さらに、前記第１のプッシャ部材（３３０）に並進可能に固定されたプランジャを備える、請求項５記載の挿入器具。
【請求項７】
前記取付け部材は、前記プランジャに並進可能に結合されている、請求項６記載の挿入器具。
【請求項８】
前記第１のガイド部材（３３８）及び前記第２のガイド部材（３４０）は、前記取付け部材及び前記ケーシング（３０８）のうちの少なくとも一方の内部へ延びるガイド軌道と、ガイドピンであって、該ガイドピンが前記ガイド軌道に収容されるように前記取付け部材及び前記ケーシングのうちの他方に結合されたガイドピンと、を含む、請求項５記載の挿入器具。
【請求項９】
前記ガイド軌道は、前記取付け部材内へ延びており、前記ガイドピンは、前記ケーシングから前記ガイド軌道内へ延びている、請求項８記載の挿入器具。
【請求項１０】
前記ガイド軌道は、第１の軌道部分と、該第１の軌道部分に対してずれた第２の軌道部分とを形成しており、前記プランジャの回転は、前記ガイドピンを前記第１の軌道部分から前記第２の軌道部分へ収容させる、請求項９記載の挿入器具。
【請求項１１】
前記取付け部材は、前記第１の軌道部分及び前記第２の軌道部分の末端部においてストップ部材を形成している、請求項８記載の挿入器具。
【請求項１２】
前記ガイド軌道は、エッジを有する基部を形成しており、前記ガイドピンは、触覚フィードバック及び聴覚フィードバックのうちの少なくとも一方を提供するために前記エッジに沿って並進する、請求項８記載の挿入器具。
【請求項１３】
さらに、前記第１のプッシャ部材（３３０）及び前記第２のプッシャ部材（３３４）を解放可能にかつ並進可能に固定するよう構成されたカップリングアセンブリ（３５０）を備える、請求項４記載の挿入器具。
【請求項１４】
前記カップリングアセンブリ（３５０）は、第１のストロークの間、前記第１のプッシャ部材（３３０）及び前記第２のプッシャ部材（３３４）を固定し、前記第１のストロークにおいて前記第２のアンカ本体が前記カニューレ（３１８）から排出され、前記カップリングアセンブリ（３５０）は、第２のストロークの間、前記第１のプッシャ部材（３３０）が前記第２のプッシャ部材（３３４）に対して並進可能であるように、前記第１のプッシャ部材（３３０）と前記第２のプッシャ部材（３３４）とを互いから解離させ、前記第２のストロークにおいて前記第１のプッシャ部材（３３０）は前記第１のアンカ本体を前記カニューレ（３１８）から排出する、請求項１３記載の挿入器具。
【請求項１５】
前記カップリングアセンブリ（３５０）は、前記取付け部材によって支持された、前記取付け部材を前記プランジャに並進可能に結合するために前記プランジャの第１の凹所の内部へさらに延びるよう構成された、カップリング部材を含む、請求項１３記載の挿入器具。
【請求項１６】
前記ケーシング（３０８）は、前記第２の凹所を形成しており、前記カップリング部材が、前記第２の凹所と整合した位置へ移動する時、前記カップリング部材は前記第１の凹所から前記第２の凹所内へ駆動され、これにより、前記取付け部材と前記プランジャとを並進可能に解離させる、請求項１５記載の挿入器具。
【請求項１７】
前記取付け部材は、チャネルを形成しており、前記カップリング部材は、前記プランジャから解離しかつ前記ケーシングに結合するために、前記チャネルを横切って移動するよう構成されている、請求項１５記載の挿入器具。
【請求項１８】
前記カップリング部材は、前記取付け部材に取り付けられた板ばねを含む、請求項１５記載の挿入器具。
【請求項１９】
前記カップリング部材は、ラッチであり、前記第１の部分のストッパは、前記ラッチが前記第２の凹所と整合させられる前に前記第２のプッシャ部材の遠位の並進を防止する、請求項１５記載の挿入器具。
【請求項２０】
前記第１の部分は、該第１の部分に沿った前記ガイド部材の移動により前記第２のプッシャ部材が前記第２のアンカ本体を前記挿入器具から排出させるように十分な長さを有する、請求項１９記載の挿入器具。
【請求項２１】
前記第２の部分に沿った前記ガイド部材の移動により前記ラッチは前記第２の凹所と整合するよう移動する、請求項２０記載の挿入器具。
【手続補正２】
【補正対象書類名】図面
【補正対象項目名】図７Ｄ
【補正方法】変更
【補正の内容】
【図７Ｄ】
2013530772.tif 000001